(57)【要約】【課題】テールランプを備えたバックドアの車体パネルに取付けられ、透明な前面カバーを備えたランプケースと、車体パネルとランプケースにあけられた開口を通してランプケースに挿入され、コード端に繋がるＬＥＤを有するテールランプの上記ランプケースと車体パネルとの間に介在し、水が上記取付孔を通して車体パネルとランプケース内に入らないようにシールするゴムパッキンよりなるシール構造において、車体パネルと、その内装材との間に入り込んだ小さな虫がランプケースの中に入り込まないようにする。【解決手段】ゴムパッキン２１が殺虫剤を含浸させた不織布よりなる層２２を間に挟んでサンドイッチ構造をなし、殺虫剤が小孔２４より拡散して小さな虫が開口２６、２７を通ってランプケース内に入らないようにする。【選択図】図４
2007083742.tif 000002
【特許請求の範囲】
【請求項１】
車体パネル４に取付られ、該車体パネル側に開口する開口９を備えたランプケース6と、該ランプケース６の前面に取付けられる、外部から透視可能な前面カバー１６と、前記ランプケース６と前面カバー１６とによって形成される灯室１１内に設けられる光源を有する車両用灯具１のシール構造であって、前記ランプケース６と車体パネル４との間に前記開口９を包囲した形態をなして介在し、ランプケース６と車体パネル4との間をシールするパッキン１３、２１を備え、該パッキン１３、２１が殺虫剤の含浸層２２を有し、殺虫剤が常温で少なくとも前記ランプケース６に形成される開口９の入口ないしその付近に拡散することを特徴とするシール構造。
【請求項２】
前記パッキン１１が殺虫剤の含浸層１２を真中にして挟んだサンドイッチ構造をなすことを特徴とする請求項１記載のシール構造。
【請求項３】
前記パッキン１１が殺虫剤を拡散するための孔１４を一つ以上有することを特徴とする請求項１又は２記載のシール構造。
【請求項４】
前記パッキン１１が連続気泡を有するスポンジ材よりなることを特徴とする請求項１又は２記載のシール構造。
【発明の詳細な説明】
【技術分野】
【０００１】
本発明は、自動車等の車両用灯具におけるシール構造に関する。
【背景技術】
【０００２】
車両用灯具の一例として、図１にはバックドアを備えた自動車のテールランプ１が示してある。図２は、テールランプの分解した取付構造を示すものであり、図３は、図１のＡ−Ａ線断面を示すもので、リアガラス３下の車体パネル４には、車内側に内装材５が添設されると共に、車外側にランプケース６が納まる凹所７が形成され、ランプケース６と凹所７底面に形成される開口８、９に灯室１１内の図示しないランプ（光源）に繋がるコード１２が通されるようになっている。そしてランプケース６と凹所底面との間にはスポンジゴム板よりなるゴムパッキン１３を介在させ、雨水や洗車時の高圧水がランプケース６と凹所７の間の隙間δより開口８、９を通してランプケース６や車体パネル４内に入り込まないようにシールしている。図中、１４はゴムパッキン１３に形成される開口、１５はランプケース底面に突設したシール壁、１６はランプケース６の前面カバーである。
【０００３】
ランプケース６に納まるランプに関しては近年、発光ダイオード（以下、ＬＥＤという）
化が進み、それに伴い前面カバー１６も透明なクリアカバーが多用されるようになってきた。  
【発明の開示】
【発明が解決しようとする課題】
【０００４】
図３に示す上述するテールランプ１についていえば、車内に入って飛び交う集光性のある小さな虫が、光の当たる方向を目がけてリアガラス３に当たり、該リアガラス３と内装材５との間の隙間δより車体パネル４と内装材５との間に入り込み、入り込んだ虫が更に開口８、９及び１４を通してランプケース内に入り込むことがある。ランプケース内に入った虫はやがてそこで死に絶え、その死骸がランプケース内に溜まっていく。こうした虫の死骸は、ケースカバーが着色されていると、外側から目に付くことはほとんどないが、前面カバーがクリアカバーであると、目立ち易い。こうした問題は、前面カバーがクリアカバーであるテールランプ以外の他の自動車用の灯具や自動車以外の車両用灯具においても同様に生ずる。
【０００５】
本発明は、上記の問題を解消することを目的としてなされたもので、車両用灯具を構成するランプケース内に小さな虫が入り込むことがないようにするためのシール構造を提供しようとするものである。
【課題を解決するための手段】
【０００６】
請求項１に係る発明は、車体パネルに取付られ、該車体パネル側に開口する開口を備えたランプケースと、該ランプケースの前面に取付けられる、外部から透視可能な前面カバーと、前記ランプケースと前面カバーとによって形成される灯室内に設けられる光源を有する車両用灯具のシール構造であって、前記ランプケースと車体パネルとの間に前記開口を包囲した形態をなして介在し、ランプケースと車体パネルとの間をシールするパッキンを備え、該パッキンが殺虫剤の含浸層を有し、殺虫剤が常温で少なくとも前記ランプケースに形成される開口の入口ないしその付近に拡散することを特徴とする。
ここで光源は、電球であってもよいが、好ましくはＬＥＤが用いられる。
【０００７】
パッキンは、例えばゴム、樹脂、熱可塑性エラストマー、皮革、紙製等で、好ましくはゴム、より好ましくはスポンジゴム板で形成される。ゴムの材質としては、天然ゴムＮＲ、エチレン・プロピレン・ジエン三元共重合体ＥＰＤＭゴム、スチレンブタジエンゴムＳＢＲ、ブタジエンゴムＢＲ、クロロプレンゴムＣＲ等の汎用ゴムを用いることができる。
【０００８】
また本発明でいう殺虫剤は、防虫剤を含むもので、殺虫剤としては市販の一般的なもの、例えば有機リン酸系殺虫剤、ピレスロイド系殺虫剤、有機塩素系殺虫剤等を用いることができる。
【０００９】
殺虫剤の含浸層に関しては、殺虫剤が放散できるようなものであればどのようなものでもよく、その種類を問わない。敢えて例示すれば、殺虫剤の含浸させた不織布やスポンジなどが挙げられる。
【００１０】
請求項２に係る発明は、請求項１に係る発明において、上記パッキンが殺虫剤の含浸層を真中にして挟んだサンドイッチ構造をなすことを特徴とする。
【００１１】
請求項３に係る発明は、請求項１又は２に係る発明において、パッキンが殺虫剤を拡散するための孔を一つ以上有することを特徴とし、
請求項４に係る発明は、請求項１又は２に係る発明において、パッキンが連続気泡を有するスポンジ材で形成されることを特徴とする。
【発明の効果】
【００１２】
請求項１に係る発明によると、殺虫剤が開口の入口ないしその付近に拡散することにより虫が開口を通ってランプケース内に入るのを防止することができる。またパッキンを樹脂や熱可塑性エラストマーＴＰＥ製とした場合、パッキンが殺虫剤により汚染されて変色したり、ひび割れを生ずるおそれがあるのに対し、ゴム製とすれば、殺虫剤により汚染を防ぎ、変色やひび割れを防ぐことができる。
【００１３】
またランプケースは通常樹脂製であるが、請求項２に係る発明のように、殺虫剤の含浸層を真中にして挟んだサンドイッチ構造とすることにより殺虫剤の含浸層とランプケースとの直接接触を防ぎ、樹脂製ランプケースが殺虫剤により汚染されて変色したり、ひび割れを生ずるのを防ぐことができる。
【００１４】
請求項３に係る発明においては、孔の大きさや数によって殺虫剤の拡散をコントロールし、殺虫効果を長期にわたって持続させることができる。
【００１５】
請求項４に係る発明においては、連続気泡の大きさや密度によって殺虫剤の拡散をコントロールし、殺虫効果を長期にわたって持続させることができる。
【発明を実施するための最良の形態】
【００１６】
以下、本発明の一実施形態のシール構造について図面により説明する。
図４は、図２及び図３に示す車両用灯具としてのテールランプの取り付け構造において、ゴムパッキン１３に代えて用いられるゴムパッキン２１についての平面図であり、図５は図４のＢ−Ｂ線断面図で、ゴムパッキン２１は、気泡が独立気泡よりなるスポンジゴム製であり、殺虫剤の含浸層２２を真中にして挟んだサンドイッチ構造をなしている。そして車体パネル４の凹所７底面に接する側のゴム層２３ａには、凹所底面に形成される開口８内に露出する部分に一定サイズ、例えば直径０、１〜１ｍｍ程度の小孔２４が無数に形成され、小孔２４のサイズと個数は、殺虫剤の拡散が必要最小限に行われるように設定されている。一方、ランプケース６と接する側のゴム層２３ｂには孔は形成されておらず、殺虫剤がランプケース側に拡散しないようにし、ランプケース６が殺虫剤で汚染されて変色したり、ひび割れを生じさせないようにしている。なお、ゴム層２３ｂと接するランプケース６の表面は、平坦であってもよいし、フランジ状の突起が形成されて凹凸をなしていてもよい。
【００１７】
殺虫剤の含浸層２２は不織布に市販の凡用の殺虫剤を含浸させたものよりなっている。
図中、２６及び２７は、ゴム層２３ａ及び２３ｂに形成される、ＬＥＤ取付孔としての開口で、殺虫剤の含浸層２２にも開口２６及び２７と相似形をなして開口２６及び２７より一回りサイズの小さなＬＥＤ取付孔としての開口２８及び２９が形成され、開口２６及び２７の周縁に含浸層２２が縁取りされた形態で露出している。なお、ゴム層２３ｂには、開口２８及び２９と同形同大の設置孔（図示しない）が形成され、含浸層２２が図示しない設置孔より露出しないようにしている。図中、３１はゴムパッキン２１を車体パネル４に止ネジにて固定するためのネジ孔である。
【００１８】
本実施形態のゴムパッキンによると、開口２６及び２７の入口やその付近に開口２６、２７の周縁及び小孔２４から殺虫剤が拡散するため本体パネル４と内装材５との間に入り込んだ虫が開口２８、２９を通り、ランプケース６内に入り込むのを防ぐことができること、殺虫剤の拡散は、小孔２４のサイズ及び数によってコントロールされ、殺虫効果を長期にわたって持続させることができること、殺虫剤はランプケース６側にはゴム層で覆われて拡散しないため、樹脂製のランプケースを殺虫剤で汚染してランプケースを変色させたり、ひび割れさせることがないこと等の効果を奏する。
また、本実施形態では殺虫剤についてのみ説明したが、防虫剤についても同様に適用可能である。
【産業上の利用可能性】
【００１９】
本発明は、自動車その他車両用灯具のシール構造に適用される。
【図面の簡単な説明】
【００２０】
【図１】バックドアを備えた自動車の後面図。
【図２】テールランプ取付構造の分解斜視図。
【図３】図１のＡ−Ａ線断面図。
【図４】ゴムパッキンの平面図。
【図５】図４のＢ−Ｂ線断面図。
【符号の説明】
【００２１】
１・・テールランプ
２・・バックドア
３・・リアガラス
４・・車体パネル
５・・内装材
６・・ランプケース
７・・凹所
８、９、１４、２６、２７、２８、２９・・開口
１１・・灯室
１２・・コード
１３、２１・・ゴムパッキン
１５・・シール壁
１６・・前面カバー
２２・・殺虫剤の含浸層
２３ａ、２３ｂ・・ゴム層
２４・・小孔
３１・・ネジ孔
【図１】
2007083742.tif 000003
【図２】
2007083742.tif 000004
【図３】
2007083742.tif 000005
【図４】
2007083742.tif 000006
【図５】
2007083742.tif 000007